(57)【要約】【課題】温度監視装置が組み込まれる原子炉や火力炉等の運転を妨げることなく、熱暴走をより一層確実に防止することのできる温度監視装置を提供する。【解決手段】炉内の最高温度Ｔｍａｘ及び最低温度Ｔ１、炉外の周囲温度Ｔａを測定し、これらの測定値から熱抵抗Ｒを演算する。この熱抵抗Ｒの値に基づいて炉内温度の収束・発散傾向を管理する。【選択図】図４
2010008211.tif 000002
【特許請求の範囲】
【請求項１】
外壁に囲まれ、内部に発熱体を有する空間の温度を監視する温度監視装置であって、
前記空間内の最高温度Ｔｍａｘを測定する第１温度測定部と、前記空間内の最低温度Ｔ１を測定する第２温度測定部と、空間の外部の周囲温度Ｔａを測定する第３温度測定部と、各温度測定部による測定結果に基づいて、
Ｒ＝θ／Ｗ１
（θ＝Ｔｍａｘ−Ｔ１、Ｗ１＝（Ｔ１−Ｔａ）／Ｒｖ、Ｒｖ：外壁の熱抵抗）
で表される熱抵抗Ｒを演算し、このＲ値と所定値Ｒ０とを比較してＲ値がＲ０値よりも小さいか否かを判別する比較判別部と、比較判別部による判別結果に基づいて警報を発する警報部とを有する温度監視装置。
【請求項２】
外壁に囲まれ、内部に発熱体を有する空間の温度を監視するための方法であって、
発熱体を含む内部空間の熱抵抗Ｒの値に基づいて内部空間の温度の収束・発散傾向を監視する温度監視方法。
【請求項３】
前記空間内の最高温度をＴｍａｘ、前記空間内の最低温度をＴ１、空間の外部の周囲温度をＴａとしたとき、
Ｒ＝θ／Ｗ１
（θ＝Ｔｍａｘ−Ｔ１，Ｗ１＝（Ｔ１−Ｔａ）／Ｒｖ，Ｒｖ：外壁の熱抵抗）
で表される熱抵抗Ｒを演算し、このＲ値と所定値Ｒ０とを比較することにより内部空間の温度の収束・発散傾向を監視する請求項２記載の温度監視方法。
【発明の詳細な説明】
【技術分野】
【０００１】
本発明は、原子炉や火力炉、あるいは燃料電池のように、外壁に囲まれ、内部に発熱体を有する空間の温度を監視する温度監視装置に関する。
【背景技術】
【０００２】
原子炉、火力炉、あるいは燃料電池のように、外壁に囲まれ、内部に発熱体を有する空間は、内部空間の内部に熱がこもって急激な温度上昇（熱暴走）が生じる恐れがある。この熱暴走を防止するために、内部空間の温度を監視することが重要となる。
【０００３】
このような内部空間の温度を監視する方法として、例えば特許文献１には、半導体装置の拡散設備等に用いられる炉内温度の監視装置が示されている。この監視装置は、炉内の温度を熱電対で測定し、この測定値を予め定めた炉内温度プロファイルと比較し、その温度差が許容温度範囲外か否かを判別することにより、炉内の温度を監視するものである。
【０００４】
【特許文献１】特開平７−１４２４１７号公報
【発明の開示】
【発明が解決しようとする課題】
【０００５】
上記のような温度監視装置において、より確実に熱暴走を防止しようとすると、炉内温度プロファイルの設定温度を低くする必要がある。しかし、設定温度を低くすると、警報が発せられる頻度が高まるため、運転に支承を来たす恐れがある。また、同じ温度でも、温度が収束に向っている場合には問題無いが、温度が発散に向っている場合には熱暴走が生じる恐れがある。このような温度変化の傾向を、上記のように単に温度を測定するだけで監視することは難しい。
【０００６】
本発明の課題は、温度監視装置が組み込まれる原子炉や火力炉等の運転を妨げることなく、熱暴走をより一層確実に防止することのできる温度監視装置を提供することにある。
【課題を解決するための手段】
【０００７】
本発明者の熱力学的解析により、外径寸法ｒ１の物体を加熱したときの熱抵抗Ｒに関する以下のような式を得ることができた。
【０００８】
【数１】
2010008211.tif 000003
θ：温度上昇  τ：時定数  Ｒ０：定常状態（θ＝０）の時の熱抵抗  β,γ：係数
【０００９】
上記式の熱抵抗Ｒを温度上昇θの関数として解析したシミュレーション結果を図１に示す。このときの各定数の諸元値を表１に示す。尚、図１中の（３）のグラフはθの値に関わらず熱抵抗Ｒが一定である場合を示すので、諸元値は省略する。
【００１０】
【表１】
2010008211.tif 000004
【００１１】
図１の（１）及び（２）のグラフは、温度上昇θの増加に伴って熱抵抗Ｒが単調増加しているため、内部空間の温度は収束する方向に向う。このとき、熱抵抗Ｒの増加傾向によって、内部温度が減衰しながら収束する場合（図１のグラフ（１））と、内部温度が上昇しながら収束する場合（図１のグラフ（２））とがある。
【００１２】
図１の（３）のグラフは、温度上昇θの増加に関わらず熱抵抗Ｒが一定であるため、内部空間の温度は線形的に上昇する。
【００１３】
図１の（４）のグラフは、温度上昇θの増加に従って熱抵抗Ｒが単調減少しているため、内部空間の温度は発散する方向に向う。すなわち、温度上昇θが同じでも、熱抵抗値Ｒが小さくなると内部空間の温度が発散傾向にあると言える。
【００１４】
次に、実際にＮａＳ（ナトリウム−硫黄）電池の内部の温度上昇θと熱抵抗Ｒを測定し、上記シミュレーション結果を評価した。具体的には、ＮａＳ電池を一定時間放電させた後、一定時間待機状態とし、この放電時及び待機時における熱抵抗Ｒと温度上昇θとを測定した。測定結果を図２に示す。図２のグラフより、放電中は温度上昇θが線形的に増加し、待機中は温度上昇θが減衰していることが分かる。同様の測定を条件を変えて複数回行い、各条件における熱抵抗Ｒと温度上昇θのデータを得た（グラフ省略）。こうして得られたデータに基づいて、各条件における放電時の熱抵抗Ｒの平均値及び温度上昇θの平均値を図３に△で示し、待機時の熱抵抗Ｒの平均値及び温度上昇θの平均値を図３に×で示す。図３のグラフより、放電時（θ：線形上昇）は、温度上昇θに関わらず熱抵抗Ｒがほぼ一定であり、待機時（θ：減衰）は、温度上昇θの増加に伴って熱抵抗Ｒが単調増加している。この結果は、図１に示すシミュレーション結果とほぼ一致し、上記式によるシミュレーションの信頼性が高いことが明らかとなった。
【００１５】
次に、上記式の熱抵抗Ｒを時定数τの逆数（１／τ）の関数として解析したシミュレーション結果を図４に示す。このときの各定数の諸元値を表２に示す。
【００１６】
【表２】
2010008211.tif 000005
【００１７】
図４に示すグラフより、熱抵抗Ｒは１／τの増加に伴って単調増加し、熱抵抗Ｒが小さくなると内部温度が発散する傾向にあることが明らかとなった。
【００１８】
以上の解析により、熱抵抗値Ｒが温度上昇θあるいは時定数τに対して変動し得ることが明らかとなった。従って、熱抵抗Ｒの変化を監視することによって、炉内温度の発散傾向を早期に察知し、炉内温度の熱暴走を管理することができる。また、熱抵抗Ｒは瞬時値を容易に測定することができるため、内部空間の温度を常時監視することができる。
【００１９】
以上より、本発明は、外壁に囲まれ、内部に発熱体を有する空間の温度を監視する温度監視装置であって、前記空間内の最高温度Ｔｍａｘを測定する第１温度測定部と、前記空間内の最低温度Ｔ１を測定する第２温度測定部と、空間の外部の周囲温度Ｔａを測定する第３温度測定部と、各温度測定部による測定結果に基づいて、Ｒ＝θ／Ｗ１（θ＝Ｔｍａｘ−Ｔ１、Ｗ１＝（Ｔ１−Ｔａ）／Ｒｖ、Ｒｖ：外壁の熱抵抗）で表される熱抵抗Ｒを演算し、このＲ値と所定値Ｒ０とを比較してＲ値がＲ０値よりも小さいか否かを判別する比較判別部と、比較判別部による判別結果に基づいて警報を発する警報部とを有する温度監視装置を提供するものである。
【発明の効果】
【００２０】
以上のように、本発明の温度監視装置によれば、熱抵抗Ｒを監視することで温度の発散・収束傾向を判定することができるため、熱暴走をより一層確実に防止することができる。
【発明を実施するための最良の形態】
【００２１】
以下、本発明の実施形態を図面に基づいて説明する。
【００２２】
図５に、本発明の温度監視装置１０を原子炉１に適用した例を示す。原子炉１は、外壁２と、外壁２に囲まれた内部空間Ｐと、内部空間Ｐに設けられた発熱体３と、内部空間Ｐの温度を監視する温度監視装置１０とを主に備える。
【００２３】
図６に、温度監視装置１０のブロック図を示す。温度監視装置１０は、温度上昇測定部１１と、放熱量測定部１２と、比較判別部１３と、警報部１４とを備える。
【００２４】
温度上昇測定部１１は、内部空間Ｐの最高温度Ｔｍａｘ、図示例では発熱体３の中心部の温度を測定する第１温度測定部１５と、内部空間Ｐの最低温度Ｔ１、図示例では外壁２の内面温度を測定する第２温度測定部１６と接続し、これらの測定値から温度上昇θ（＝Ｔｍａｘ−Ｔ１）を求める。
【００２５】
放熱量測定部１２は、外壁２の内面の温度Ｔ１を測定する第２温度測定部１６と、原子炉１の外部温度Ｔａを測定する第３温度測定部１７と接続し、これらの測定値及び外壁の熱抵抗Ｒｖから、内部空間Ｐから外部への放熱量Ｗ１（＝（Ｔ１−Ｔａ）／Ｒｖ）を求める。尚、図５に示す例では、第２温度測定部１６や第３温度測定部１７をそれぞれ一箇所ずつに設けているが、これらをそれぞれ複数箇所設け、各温度測定部による測定値の平均によりＴ１やＴａを求めることで、測定値の信頼性の向上を図ってもよい。
【００２６】
温度上昇測定部１１による温度上昇θの測定結果と、放熱量測定部１２による放熱量Ｗ１の測定結果は、比較判別部１３に伝えられる。比較判別部１３は、演算部１３ａと判別部１３ｂとを有する。温度上昇θ及び放熱量Ｗ１の測定結果は演算部１３ａに送られ、ここで熱抵抗Ｒ（＝θ／Ｗ１）を演算する。演算部１３ａにより求められたＲの値は、判別部に送られ、ここでＲ値と予め設定された所定値Ｒ０とを比較し、Ｒ値がＲ０値よりも小さいか否かを判別する。このときＲ０は、発熱体の定常状態時（θ＝０）における熱抵抗値Ｒ０’に、安全係数Ａを乗じた値である（Ｒ０＝ＡＲ０’）。
【００２７】
比較判別部１３による判別結果は警報部１４に伝えられ、その判別結果に基づいて警報が発せられる。具体的には、比較判別部１３の判別部１３ｂによる判別結果が、Ｒ値がＲ０値よりも小さい（Ｒ＜Ｒ０）ことを示すものであるときに、警報が発せられる。この警報により、監視者はＲ値が所定値Ｒ０よりも小さくなったことを知り、これにより内部空間Ｐの温度が発散する傾向をいち早く察知することができる。この時、発熱体３の発熱量を弱めたり、あるいは停止させたりすることにより、内部空間Ｐにおいて熱暴走が起こる恐れをより確実に回避することができる。
【００２８】
本発明は上記の実施形態に限らず、発熱体３を含む内部空間Ｐの熱抵抗Ｒに基づいて内部空間Ｐの温度の収束・発散傾向を監視するという本質的部分が同一である限り、装置や方法の詳細は上記に限られない。
【００２９】
また、上記の実施形態では、本発明の温度監視装置を原子炉に適用した場合を示したが、これに限らず、例えば火力炉（例えば、火力発電炉、溶鉱炉、ガスタービン等）や燃料電池の内部空間の温度監視に適用することもできる。
【図面の簡単な説明】
【００３０】
【図１】温度上昇θと熱抵抗Ｒとの関係を示すグラフである。
【図２】ＮａＳ電池を放電・待機させたときの温度上昇θ及び熱抵抗Ｒを測定した結果を示すグラフである。
【図３】ＮａＳ電池の温度上昇θ及び熱抵抗Ｒの測定結果をプロットしたグラフである。
【図４】時定数の逆数１／τと熱抵抗Ｒとの関係を示すグラフである。
【図５】温度監視装置の概略図である。
【図６】温度監視装置のブロック図である。
【符号の説明】
【００３１】
１     原子炉
２     外壁
３     発熱体
１０   温度監視装置
１１   温度上昇測定部
１２   放熱量測定部
１３   比較判別部
１３ａ 演算部
１３ｂ 判別部
１４   警報部
１５   第１温度測定部
１６   第２温度測定部
１７   第３温度測定部
Ｐ     内部空間
【図１】
2010008211.tif 000006
【図４】
2010008211.tif 000007
【図５】
2010008211.tif 000008
【図６】
2010008211.tif 000009
【図２】
2010008211.tif 000010
【図３】
2010008211.tif 000011